(57)【要約】【課題】  ペーパーホルダーを使用するとき、ケガや身体の都合で片手だけで使いたい場合もあり、そのようなときに容易に使用出来るものを提供すること。【解決手段】  片手でペーパーを切れるように、ペーパーホルダーの紙押さえ板や紙切り刃に突起部を設け、その突起部を引っ掛けるフックを設けて、紙押さえ板や紙切り刃を押し下げた位置で停止出来るようにする。紙押さえ板や紙切り刃にペーパーロック板を設け、紙乗せ板にペーパーロック用溝を設けることで、紙押さえ板や紙切り刃を押し下げると、ペーパーロック板とペーパーロック用溝が咬み合って、ペーパーの動きを容易に止められる。引き出したペーパーを重ねるために、ペーパーホルダーの上に置いたとき、滑らないようにペーパーの当たる位置に滑り止め用の溝・ゴムを設ける。フック解除レバーを押し下げるだけで、フックを外したり、通常使用からフック使用への切り替えも出来る。【選択図】  図１
2005125037.tif 000002
【特許請求の範囲】
【請求項１】
ペーパーホルダー（１）の紙押さえ板（３）や紙切り刃（６）を押し下げた状態で停止出来るように、突起部（３Ａ）とフック（７）を設ける。それから、フック解除レバー（７Ａ）又はフック解除押しボタン（８）を設けた構造のもの。
【請求項２】
ペーパーホルダー（１）のフック解除レバー（７Ａ）を押し下げたり、又はフック解除押しボタン（８）を押すだけで、フック使用のときは、フック（７）を外したり、通常使用からフック使用にするときは、切り替えも出来る、請求項１記載のペーパーホルダー。
【請求項３】
紙押さえ板（３）や紙切り刃（６）が、円弧運動支持枠１０の上に乗っていてペーパー交換時のときは、支点１２を軸に上側に起せるタイプのペーパーホルダーの場合では、紙押さえ板（３）や紙切り刃（６）を押し下げた状態で突起部（３Ａ）を引っ掛けて停止させるフック（７）は、前方上部から突起部（３Ａ）に掛かる構造にして、紙押さえ板（３）や紙切り刃（６）が元の位置に戻るのを止めるだけではなく、紙押さえ板（３）や紙切り刃（６）が、上側に起きる動きも同時にフック（７）で止める構造にした請求項２記載のペーパーホルダー。
【請求項４】
ペーパーホルダー（１）の紙押さえ板（３）や紙切り刃（６）に、ペーパーロック板（１５）又はペーパーロック部（３Ｂ）を設け、そして紙乗せ板（５）にはペーパーロック用溝（５Ａ）又は凹凸又は組合せたものを設けた構造のもの。
【請求項５】
ペーパーホルダー（１）のペーパーを引き出して、そのペーパーをペーパーホルダー（１）の上に乗せて置くときに、その乗せたペーパーが滑り落ちないように、ペーパーが接触する位置に、滑り止め用の溝又は凹凸又はゴム又は組合せたものを設けた構造のもの。
【請求項６】
請求項５のペーパーホルダー（１）の上に乗せて置いたペーパーが接触する位置に、滑り止め用の溝又は凹凸又はゴム又は組合せたものを設けた請求項２記載のペーパーホルダー。
【請求項７】
ペーパーホルダー（１）の作動部品がある内部に、ゴミやほこり等が落ちないように、ほこりよけカバー（１８）と、ほこり止め部（１９）を設けた請求項３記載のペーパーホルダー。
【請求項８】
ペーパーホルダー（１）の紙押さえ板（３）や紙切り刃（６）の動きを制御するために、ダンパー部品を設けた構造のもの。
【請求項９】
ペーパーホルダー（１）に請求項４のペーパーロック板（１５）と紙乗せ板（５）にペーパーロック用溝（５Ａ）を設ける。それから請求項５のペーパーが接触する位置に、滑り止め用の溝又は凹凸又はゴ厶又は組合せたものを設けた請求項３記載のペーパーホルダー。
【発明の詳細な説明】
【技術分野】
【０００１】  本発明は、トイレでペーパーホルダーを使うとき、怪我や身体の都合で片手のみで使用する場合に、容易に使用出来るようにしたペーパーホルダーに関する。
【背景技術】
【０００２】  従来のトイレットペーパーホルダーでも、片手でペーパーが切れるタイプがいろいろありますが、ペーパーの先端を出しずらかったり、ペーパーをつまみずらかったり、ペーパーを引き出しずらかったりして、一長一短の物もあってなかなか満足しえませんでした。
【発明の開示】
【発明が解決しようとする課題】
【０００３】  ペーパーホルダーを片手で使用するときに、ペーパーの先端を容易につまめて、ペーパーを引き出すのもスムースで、ペーパーを重ね合わせることも容易に出来て、ペーパーを押えて切るときは、ペーパーが滑り出ないように容易で確実にペーパーを押さえられ、簡単に切ることが出来て、また次のペーパーを取るときも簡単な操作で出来るようにする。【０００４】  それから通常使用から片手で使用するフック使用にするための切り替えの操作も、面倒なことなく容易に出来て、またペーパーの交換も容易に行なうことが出来る、それら全部を満足させることが課題である。
【課題を解決するための手段】
【０００５】  本発明は、特願２００３−１８９８８１号の特許出願内容を基本に、発展させた発明である。特願２００３−１８９８８１号は、ペーパーホルダーに紙乗せ板と紙押さえ板と紙切り刃と紙戻り防止板を設けたり、それから円弧運動支持枠等も取り付けた構造のものである。【０００６】  本発明は、そのペーパーホルダーの紙押さえ板と紙切り刃に突起部を設ける。そしてその突起部を引っ掛けるフックを設ける。そうすることで、ペーパーを切るときに紙押さえ板と紙切り刃を押し下げた位置で、突起部にフックが引っ掛かって、その位置で維持されて停止出来るようになるので手を離し、ペーパーを前方に引くと紙切り刃によって切れるので、ペーパーを片手で切れるようになる。【０００７】  しかし、紙押さえ板と紙切り刃が円弧運動支持枠の上に乗っていて、ペーパー交換時に上側に起せるようになっている構造のものは、紙押さえ板と紙切り刃を押し下げてフックを掛けたとき奥側より掛かっていると、ペーパーを前方に引いたとき紙切り刃が上側に起される力になって、フックより外れてしまうことにもなる。そこでフックを前方から突起部に掛かるようにすることで、紙押さえ板と紙切り刃を押し下げてフックを掛けたときに、紙押さえ板と紙切り刃が元の位置に戻るのを止めるだけではなく、紙押さえ板と紙切り刃が上側に動く動きも止めるので、安定した停止状態を保てるようになる。【０００８】  フックには、フックを外すためのフック解除レバーを設ける。それから切り替え用溝もフックに設ける。その切り替え用溝を引っ掛ける爪を持った、切り替えボタンを設ける。【０００９】  その、フックの切り替え用溝に切り替えボタンの爪が掛かった状態がペーパーホルダーの通常使用の状態である。通常使用は、ペーパーを引き出したら片方の手で紙押さえ板と紙切り刃を押し下げて押さえ、他方の手でペーパーを引いて切ったら、紙押さえ板と紙切り刃から手を離すと元の位置に戻り、また次のペーパーを使うことが出来る。フック使用の場合は、ペーパーを必要量を引き出したら、ペーパーを持った手で紙押さえ板と紙切り刃を押し下げてフックが掛かったら手を離し、ペーパーを前方に引いて切る。次のペーパーを取るときはフック解除レバーを押し下げてフックを外し、紙押さえ板と紙切り刃が元の位置に戻れば、ペーパーをつまみ引き出せる。【００１０】  それから、ペーパーホルダーを使う時に、通常使用かフック使用かで、切り替えが必要になる。フック使用から通常使用にするときは、フック解除レバーを押し下げたまま、切り替えボタンを押し込むと切り替えボタンの爪がフック解除レバーの切り替え用溝に入るので、フック解除レバーから指を離すと切り替えボタンの爪と咬み合って外れなくなるので、フック解除レバーは下がった位置で停止してフックの位置が変わり、紙押さえ板と紙切り刃の突起部に掛からなくなり通常使用になる。【００１１】  また通常使用からフック使用にするときは、フック解除レバーを押し下げると、切り替えボタンの爪が切り替え用溝から、切り替えボタンの自重で外れたり、切り替え用溝の上の部分で切り替えボタンの爪を押し返して切り替え用溝から外れ、フック解除レバーは上側まで戻リフック使用の状態になる。【００１２】  フックが紙押さえ板と紙切り刃の突起部に奥側から掛かる場合は、フック解除押しボタンや切り替えレバーの部品を設けても、同様の作用が得られる。【００１３】  紙押さえ板と紙切り刃にペーパーロック板を設け、紙乗せ板には、ペーパーを押さえ込んだり、折り込んだりするペーパーロック用溝を設ける。そうすることによって、紙押さえ板と紙切り刃を押し下げた位置にするだけで、ペーパーロック板は、紙乗せ板のペーパーロック用溝と咬み合うので、その間に挟まれたペーパーの動きを止めることが出来る。【００１４】  また紙押さえ板と紙切り刃にペーパーロック部を設けても、同様な効果が得られる。【００１５】  ペーパーホルダーを片手で使用する場合に、引き出したペーパーを何回か重ねて使用しますが、片手で手の上や手の中でペーパーを重ねることは、面倒で困難でもある。また引き出したペーパーをペーパーホルダーの上に乗せて置いて持ち直すことも出来ますが、ペーパーホルダーの上に置いても滑り易かったり、ペーパーが少なくなると、ペーパーホルダーの上カバーが斜めになり、置いて持ち直すにも手を早く動かしたり、ペーパーが滑るのを手で押さえて止めながら行なうのも大変なことである。【００１６】  そこで、引き出したペーパーをペーパーホルダーの上に乗せて置いたときに、ペーパーが当たる位置に、滑り止め用の溝又は凹凸又はゴム又は組合せたものを設ける。そうすれば、ペーパーホルダーの上に、引き出したペーパーを乗せて置いたときに、ペーパーが滑り落ちることがなくなる。【００１７】  またこのペーパーホルダーは、部品数が多くいろいろの作用で動き、その中には重さのバランスで動いたり、わずかなすき間を利用して動きを制御する部品もあり、そして長期間にわたって使用されるので、ゴミやほこりが付いたり、積もったりすると、部品の機能を失ったり、正常な作用も出来なくなってしまう。【００１８】  そこで、ペーパーホルダー本体と動く部品のすき間に、ほこりよけカバーとほこり止め部を設けることで、ゴミやほこりが入るのを防ぐことができる。【００１９】  ペーパーホルダーの紙押さえ板や紙切り刃を押し下げてペーパーを切った後、スプリングや重さのバランスなどの作用で紙押さえ板や紙切り刃が元の位置に戻るとき、動く早さが早かったり、加速して早くなってしまうので、そこで紙押さえ板や紙切り刃や、それから円弧運動支持枠にエアダンパーを取り付けて、動きを制御させる。
【発明の効果】
【００２０】  一般に使われている、いろいろなペーパーホルダーと、本発明のペーパーホルダーを、片手だけで使用する場合を比較して発明の効果を説明する。【００２１】  最初にペーパーの切れた先端をつまむには、上カバーの下で切れたペーパーの先端を出すために、ペーパーロールを指先に引っ掛けて手前に回しますが、何回もやらないと出てこないときもある。また上カバーにスプリングなどを設けてペーパーロールに圧接させて、片手でペーパーが切れるタイプもありますが、そのような場合はペーパーロールが上カバーで押えられていて、ペーパーロールを回しずらくなりペーパーの先端も出しにくくなる。そして出てきたペーパーの先端もペーパーロールに張りついた状態のときもあり、それをつまめるようにするにも苦労をすることがある。その他のタイプでも、ペーパーの先端が紙切り刃についた状態のままだったり、狭い間からペーパーの先端を取り出すようなタイプ等もある。またペーパーを引き出すにも引き出す向きが限られてしまうタイプもあります。【００２２】  そして、引き出したペーパーを重ねるときは、ペーパーを置いて持ち直す方法が簡単に重ねられると考えられます。そこで引き出したペーパーをペーパーホルダーの上に置く場合に、ペーパーロールに上カバーが乗っているタイプは、ペーパーが少なくなると上カバーも下向きに角度が下がって、ペーパーが滑り落ちたり、置けなくなる。またケースタイプは、ペーパーは置けるが持ち直すときに、ペーパーの下に指を入れることが容易でない場合や、持ち直しも出来ないこともある。それからペーパーを切るときは、片手で切れるタイプと、切れないタイプがあります。【００２３】  本発明のペーパーホルダーは、ペーパーのつまみ部分の先端が紙乗せ板から空間に浮いた状態で出ているので、ペーパーの先端をつまむのも容易で、すぐペーパーを引き出せて引き出す向きも自由に引き出せる。ペーパーを重ねるときは、引き出したペーパーをペーパーホルダーの上に置けば、ペーパーの滑り止めが作用してペーパーは安定した状態でいるので、あわてることもなく、自分のペースで持ち直すことが出来る。また持ち直しのときも、紙乗せ板から出ているペーパーはペーパーロールからも間隔が離れていて、その間に指を入れられるので容易に持ち直して重ねることが出来きる。そして必要枚数を重ねたら、ペーパーを引き出したその手で、紙押さえ板や紙切り刃を押し下げるとフックが掛がって停止するので、手を離してペーパーを前方に引いて切る。次のペーパーを引き出すときは、フック解除レバーを下げると突起部からフックが外れて、紙押さえ板や紙切り刃が元の位置に戻り、紙乗せ板に乗っているペーパーの先端が出てくるので、それをつまんで引き出せる。この繰り返しで使用出来る。【００２４】  本発明のペーパーホルダーは、フックを使用しない通常使用と、フックを使用して片手でペーパーを切れるフック使用が出来るので、その切り替えを行なう必要がある。フック使用から通常使用に切り替える場合は、フック解除レバーを下げたまま、切り替えボタンを押して切り替え用溝に切り替えボタンの爪を引っ掛けて、フック解除レバーが上側に戻らなくすることで切り替えが出来る。また通常使用からフック��用に切り替える場合は、フック解除レバーを下げると切り替えボタンの自重で爪が切り替え用溝から外れたり、押し戻されて溝から外れてフック解除レバーが上側に戻れば、フック使用に切り替えが出来る。【００２５】  本発明のペーパーホルダーを、いつも片手で使用する人は、他の家族が使っている通常使用から常にフック使用に切り替えて使わなければならないので、ペーパーをつまむ前に必ずフック解除レバーを下げて、フック使用に切り替えなければならない。そしてペーパーをつまみ引き出して使用した後に、次のペーパーをつまむには、まだ紙押さえ板や紙切り刃が押し下げた状態で、ペーパーの先端が見えていないので、必ずフック解除レバーを下げなければならない。そうすると紙押さえ板や紙切り刃が元の位置に戻って次のペーパーを使用出来るようになる。【００２６】  以上のように本発明のペーパーホルダーは、通常使用からフック使用の切り替えも、再度ペーパーを引き出して使用する場合もフック解除レバーを下げてから使用するので、フック使用で使用する人は、切り替えの操作、そして紙押さえ板や紙切り刃を元の位置に戻す操作などと考えながら行なわなくても、使用するときは必ずフック解除レバーを下げてから、使用するというワンパターンの操作で行なえるので、高齢の方でもワンパターンを憶えるだけで面倒なことなく気軽に使用出来る。【００２７】  本発明の、紙押さえ板と紙切り刃を押し下げた位置で、突起部にフックを引っ掛かけて停止させたとき、ペーパーを押さえる力が弱くなったり、無くなってしまいペーパーを切る時に、引くとペーパーが滑り出してしまうこともありえる。そこで紙押さえ板や紙切り刃にペーパーロック板と紙乗せ板にペーパーロック用溝を設けたことで、紙押さえ板や紙切り刃を押し下げるだけで、ペーパーロック板とペーパーロック用溝が咬み合って、間に挟まれたペーパーの動きを止めることが出来る。そうなれば、紙押さえ板や紙切り刃を上から、力を入れて押える必要もなくなって、通常使用のときも、紙押さえ板や紙切り刃を押し下げた位置にするだけでペーパーを切れるので、子供や老齢の人が使用したときに、力を入れなくても使用出来るようになる。【００２８】  ペーパーホルダー本体と動く部品のすき間に、ほこりよけカバーとほこり止め部を設けると、ゴミやほこりが内部に入らないようになって、内部の部品の機能や性能も長期間にわたって保てるようになる。【００２９】  ペーパーホルダーの紙押さえ板や紙切り刃が元の位置に戻るとき、動く早さが早かったり、加速して早くなったりして、扱いずらいし、止まるときに騒音も発生して使用もためらうことにもなる。そこで、エアダンパーを用いて動く早さを抑えれば、なめらかで静かに動くようになり、気になる騒音も抑えられる。
【発明を実施するための最良の形態】
【００３０】  本発明のペーパーホルダー１を図で説明すると、図１はペーパーホルダー１に紙押さえ板３、紙戻り防止板４、紙乗せ板５、紙切り刃６、円弧運動支持枠１０が付いている。そしてその、紙押さえ板３や紙切り刃６の横板部分に突起部３Ａを付けて、それを引っ掛けるフック７を設ける。フック７にはフック解除レバー７Ａと切り替え用溝７Ｂを設けて、その切り替え用溝７Ｂを引っ掛かる爪を持つ切り替えボタン１４を設ける。また紙押さえ板３や紙切り刃６にペーパーロック板１５を設ける。そして紙乗せ板５にはペーパーロック板１５と咬み合うペーパーロック用溝５Ａを設ける。ペーパー１６を引き出して、そのペーパー１６をペーパーホルダー１の上に乗せて置いたときに、ペーパー１６の当たる部分１７に滑り止めゴムを付ける。そして、円弧運動支持枠１０にエアダンパー２０を取り付けた状態の図である。【００３１】  以下に、上記構成の作用を説明するにあたり、図１は使用待機時の図で、説明には作用図も必要であり、また全部の項目を一図に書き込むと見ずらくなるので、請求項を判り易くした別図を用いて説明する。【００３２】  請求項３を実施して、紙押さえ板３や紙切り刃６の横板部分に突起部３Ａを付けて、それを引っ掛けるフック７を設けて、そのフック７にフック解除レバー７Ａと切り替え用溝７Ｂを設ける。そして切り替えボタン１４も設ける。それらをペーパーホルダー１の左側に設けた構造を、図６と図７と図８で説明すると、引き出したペーパーを切るときに紙押さえ板３や紙切り刃６を押し下げると図７のように突起部３Ａがフック７に引っ掛かり、紙押さえ板３や紙切り刃６を押し下げた位置で停止させることが出来るので、手を離してもペーパーを切ることが出来るようになる。【００３３】  けれど図６のように、紙押さえ板３や紙切り刃６が円弧運動支持枠１０に乗っていて、ペーパー交換時に支点１２で左側上方に起せるようになっている場合は、紙押さえ板３や紙切り刃６を押し下げた位置で停止させてペーパーを切るときに、ペーパーを前方に引くと紙切り刃６も前方上側に起されるようになり、フック７の向きや形状によっては、フック７から外れてしまうことにもなる。そこでフック７は図７のように前方上部から突起部３Ａに掛ける構造にして、紙押さえ板３や紙切り刃６が元の位置に戻るのを止めるだけではなく、紙押さえ板３や紙切り刃６が上側に起きる動きも同時に止める構造にする。ペーパーを切ったあとは、フック解除レバー７Ａを下げるとフック７が外れて、紙押さえ板３や紙切り刃６が元の位置に戻り図６の使用待機状態になる。【００３４】  フック使用から通常使用に切り替える時は、図８のようにフック解除レバー７Ａを押し下げた状態で切り替えボタン１４を押し込むと、切り替えボタン１４の爪が切り替え用溝７Ｂに引っ掛かり、切り替えボタン１４を押したままフック解除レバー７Ａから指を離すと、スプリング９で切り替え用溝７Ｂが上側に回ろうとするので切り替えボタン１４の爪が外れなくなり、フック解除レバー７Ａが下げた位置に停止して切り替えが出来る。【００３５】  また通常使用からフック使用に切り替える時は、フック解除レバー７Ａを押し下げるだけで、切り替えボタン１４の爪が切り替え用溝７Ｂから自重で外れたり、切り替えボタン１４の爪が切り替え用溝７Ｂの上側で押されて外れ、フック解除レバー７Ａは上側に戻るので切り替えは終了して、図６の状態になる。そして片手で使用するときは、紙乗せ板５の上から出ているペーパーをつまんで引き出す。ペーパーを切るときは、ペーパーを持った手で紙押さえ板３や紙切り刃６を押し下げてフック７が掛かったら手を離して、ペーパーを前方に引くと切れる。次のペーパーを取る時は、フック解除レバー７Ａを押し下げると、紙押さえ板３や紙切り刃６の突起部３Ａがフック７から外れて元の位置に戻り、ペーパーの先端が出てくるので、それをつまんで引き出せる。【００３６】  請求項４を実施して、ペーパーロック板１５とペーパーロック用溝５Ａを設けた構造を、図６と図７で説明すると、図６のように紙押さえ板３や紙切り刃６に取り付けたペーパーロック板１５を設ける。そして紙乗せ板５にペーパーロック用溝５Ａを設ける。使用する時は、ペーパーを切るときに紙押さえ板３や紙切り刃６を押し下げると、図７のようにペーパーロック板１５がペーパーロック用溝５Ａと咬み合って、その間に挟まれたペーパーの動きを止めることが出来るので、紙押さえ板３や紙切り刃６を押し下げて上から押え付ける力も必要なくなる。紙押さえ板３や紙切り刃６を押し下げるだけで、ペーパーが滑り出してしまうこともなくなり、ペーパーもス厶ースに切れる。それは通常使用のときも、フック使用のときも同様の効果を発揮する。【００３７】  請求項５を実施して、滑り止めゴムを設けた構造を図８で説明すると、引き出したペーパー１６をペーパーホルダー１の上に乗せて置いたときに、ペーパー１６が当たって滑る部分１７に滑り止めゴムを設けた状態の図である。滑り止めゴムを設けたことで、ペーパー１６を乗せて置いても滑り落ちることなく安定しているので、ペーパーを持ち直すことも容易になる。【００３８】  請求項７を実施して、ほこりよけカバー１８やほこり止め部１９を設けた構造を図９で説明すると、ペーパーホルダー１の本体で固定している部分と動く部品との間にはすき間があり、そのすき間からゴミやほこりが内部に入らないようにした状態の図である。ほこりよけカバー１８がカバー出来なかったすき間から入ったゴミやほこりも、ほこり止め部１９の上に落ちるので、ペーパー交換時や、掃除の時に紙押さえ板３や紙切り刃６を上側に起して、掃除をすれば大部分のゴミやほこりの落ち込みを防げるようになる。【００３９】  請求項８を実施して、エアダンパー２０を設けた構造を図６と図７で説明すると、図６はエアダンパー２０の一方を円弧運動支持枠１０に連結し、他方をペーパーホルダー１の本体に取り付けた状態である。図７は紙押さえ板３や紙切り刃６を押し下げると、円弧運動支持枠１０の左側は上側に上がって、エアダンパー２０が伸ばされた状態である。そして紙押さえ板３や紙切り刃６から手を離したり、フックが外れると、伸びたエアダンパー２０が作用してゆっくりと戻るため、紙押さえ板３や紙切り刃６の動きもゆっくりと静かに元の位置に戻って図６の状態になる。ダンパーは他にもオイル系のダンパーも利用出来る。【００４０】  ペーパー交換は、紙押さえ板３や紙切り刃６と紙戻り��止板４と紙乗せ板５を上側に起して、ペーパーロールを下から上方に上げてペーパーロール保持棒２１に引っ掛けたら、紙乗せ板５を前方に倒して、その上からペーパーの先端を取り出して、紙押さえ板３や紙切り刃６と紙戻り防止板４を前方に倒せば、ペーパー交換が完了する。
【実施例】
【００４１】  請求項１を実施して、紙押さえ板３や紙切り刃６に突起部３Ａを付けて、それを引っ掛けるフック７を設けて、そのフック７に連結させたフック解除押しボタン８を設けた構造を、図３と図４で説明すると、引き出したペーパーを切るときは紙押さえ板３や紙切り刃６を押し下げると図４のように突起部３Ａがフック７に引っ掛かり、紙押さえ板３や紙切り刃６を押し下げた位置で停止させることが出来るので、手を離して片手でペーパーを切ることが出来るようになる。【００４２】  次のペーパーをつまんで引き出すには、フック解除押しボタン８を押して突起部３Ａがらフック７が外れると、紙押さえ板３や紙切り刃６がスプリング等の作用で元の位置に戻って、図３の状態になる。【００４３】  請求項２を実施して、切り替えレバー２３を設けた構造を図３と図５で説明すると、切り替えレバー２３を上下にスライド出来るように設ける。切り替えレバー２３には連結長穴を付けて、その連結長穴とフック７の連結部１３を連結させる連結棒２２を設けた状態が図３である。フック使用から通常使用に切り替える時は、図５のように切り替えレバー２３を上側にスライドさせると、連結棒２２を押すので、それに伴ってフック７が押された状態になり、突起部３Ａと作用しなくなるので切り替えが出来る。切り替えレバー２３は、スプリング９で押されているので、手を離しても下側に落ちない。【００４４】  また通常使用からフック使用に切り替える時は、切り替えレバー２３を下側にスライドさせるか、フック解除押しボタン８を押すと、切り替えレバー２３を押え付けていた力が無くなり、切り替えレバー２３は自重で下側にスライドして落ちて切り替えが終了し、図３の状態になる。それから、図３と図４でフック解除押しボタン８を押したとき、連結棒２２も動くが切り替えレバー２３の連結長穴の中だけで動くだけで、切り替えレバー２３には、なにも作用は生じない。【００４５】  いつもフック使用をする場合は、必ずフック解除押しボタン８を押してからペーパーをつまんで引き出すようにするという、ワンパターンを憶えて行なうだけなので、容易に使用出来る。【００４６】  請求項４を実施して、紙押さえ板３や紙切り刃６にペーパーロック部３Ｂを設けた構造を図３と図４で説明すると、ペーパー幅の長さのペーパーロック部３Ｂを凹凸の形状にする。紙戻り防止板４はペーパーロック部３Ｂの凸の形状の位置に穴を設けて、凸部が入れるようにする。そうすることで、図４のように紙押さえ板３や紙切り刃６を押し下げると、ペーパーロック部３Ｂとペーパーロック用溝５Ａが咬み合って、その間に挟まれたペーパーの動きを止めることが出来る。【００４７】  請求項６を実施して、滑り止めゴムを設けた構造を図５で説明すると、引き出したペーパー１６をペーパーホルダー１の上に乗せて置いたときに、ペーパー１６が当たって滑る部分１７に滑り止めゴムを設けた状態の図である。滑り止めゴムを設けたことで、ペーパー１６を乗せて置いても滑り落ちることなく安定しているので、容易に持ち直すことが出来る。【００４８】  フック使用でフックを外す方法で他には、図１０にようにフック外しレバー２４の付いたフック外し板２５を紙押さえ板３の下側に設ける。��して紙押さえ板３や紙切り刃６を押し下げて停止した状態が図１０である。その停止した状態から、元の位置に戻したいと思うとき、自然に考えれば紙押さえ板３を上側に押し上げる操作をすると思います。その考えたままの操作をすると、紙押さえ板３の下側のフック外し板２５が上げられて、支点１２を芯にフック外しレバー２４も連動しフック７を外すので、紙押さえ板３や紙切り刃６は元の上側の位置に戻る。【００４９】  また同様の操作で出来る別の方法は、図１１のようにフック外しレバー２４の付いた紙押さえ兼フック外し板２６を設ける。紙押さえ兼フック外し板２６や紙切り刃６を押し下げて停止した状態が図１１である。元の位置に戻そうと紙押さえ兼フック外し板２６を上側に上げると、支点１２を芯にフック外しレバー２４も連動してフック７を外すので、紙押さえ兼フック外し板２６や紙切り刃６は元の上側の位置に戻る。【００５０】  上記の構造で、フック使用から通常使用に切り替える時は、図１２のようにフック切り替えボタン２８を押し込んで、ロックレバー２７を上側に上げると、フック切り替えボタン２８の溝部にロックレバー２７の反対側の先端が引っ掛かり、フック切り替えボタン２８から指を離しても戻らなくなるので切り替えが出来る。通常使用からフック使用にする時は、フック切り替えボタン２８を押すだけで、ロックレバー２７が自重で外れて終了する。【００５１】  それから、突起部３Ａとフック７で紙押さえ板３や紙切り刃６を押し下げて停止させる方法を説明しましたが、突起部３Ａとフック７の代わりに、磁石を用いて引き合う力や反発する力を利用しても停止させることが出来る。その外にもマジックテープを用いたり、突起部３Ａにバネ材を引っ掛けたり、挟んだり、スプリングの作用する力の向きを変えたりすることでも可能である。
【図面の簡単な説明】
【００５２】
【図１】  本発明の実施形態を示すペーパーホルダーで、図２のＡ−Ａ断面図
【図２】  ペーパーホルダーの正面図
【図３】  請求項１・２・４の実施形態を示すペーパーホルダーで、図２のＡ−Ａ部分断面図
【図４】  図３の作用形態を示すペーパーホルダーで、図２のＡ−Ａ部分断面図
【図５】  図３の作用形態と請求項６の実施形態を示すペーパーホルダーで、図２のＡ−Ａ部分断面図
【図６】  請求項３・４・８の実施形態を示すペーパーホルダーで、図２のＡ−Ａ断面図
【図７】  図６の作用形態を示すペーパーホルダーで、図２のＡ−Ａ断面図
【図８】  図６の作用形態と請求項５の実施形態を示すペーパーホルダーで、図２のＡ−Ａ断面図
【図９】  請求項７の実施形態を示すほこりよけカバーで、図８のＢ−Ｂ部分断面図
【図１０】  フック外し板２５を設け、紙押さえ板３や紙切り刃６を押し下げて停止した状態で、フック外し板２５とフック７の関連部分の形態を示す図で、図２のＡ−Ａ部分断面図
【図１１】  紙押さえ兼フック外し板２６を設け、紙押さえ兼フック外し板２６や紙切り刃６を押し下げて停止した状態で、紙押さえ兼フック外し板２６とフック７の関連部分の形態を示す図で、図２のＡ−Ａ部分断面図
【図１２】  図１０と図１１の図中のフック切り替えボタン２８が通常使用に切り変わった状態で、関連部分の形態を示す図で、図２のＡ−Ａ部分断面図
【符号の説明】
【００５３】  １  ペーパーホルダー
２  トイレットペーパー
３  紙押さえ板
３Ａ  突起部
３Ｂ  ペーパーロック部
４  紙戻り防止板
５  紙乗せ板
５Ａ  ペーパーロック用溝
６  紙切り刃
７  フック
７Ａ  フック解除レバー
７Ｂ  切り替え用溝
８  フック解除押しボタン
９  スプリング
１０  円弧運動支持枠
１１  円弧運動支持枠支点
１２  支点
１３  連結部
【００５４】１４  切り替えボタン
１５  ペーパーロック板
１６  ペーパー
１７  ペーパーが当たる部分
１８  ほこりよけカバー
１９  ほこり止め部
２０  エアーダンパー
２１  ペーパーロール保持棒
２２  連結棒
２３  切り替えレバー
２４  フック外しレバー
２５  フック外し板
２６  紙押さえ兼フック外し板
２７  ロックレバー
２８  フック切り替えボタン
【図１】
2005125037.tif 000003
【図２】
2005125037.tif 000004
【図３】
2005125037.tif 000005
【図４】
2005125037.tif 000006
【図５】
2005125037.tif 000007
【図６】
2005125037.tif 000008
【図７】
2005125037.tif 000009
【図８】
2005125037.tif 000010
【図９】
2005125037.tif 000011
【図１０】
2005125037.tif 000012
【図１１】
2005125037.tif 000013
【図１２】
2005125037.tif 000014